(57)【要約】【課題】より利便性が高い情報処理システムを提供する。【解決手段】情報処理システムは、第１情報処理端末４０１、第２情報処理端末６０１と、画像形成装置１０１とを含む。第１情報処理端末４０１が画像形成装置１０１と連携して動作可能である場合において（Ｓ１１）、第１情報処理端末４０１が第２情報処理端末６０１と電話通信を行っているとき（Ｓ１２）、第１情報処理端末４０１は、ユーザからの中継開始操作を受け付けると、第２情報処理端末６０１が画像形成装置１０１と通信可能になるように中継動作を行う。第２携帯端末６０１は、第１情報処理端末４０１と電話通信を行っている場合において、第１情報処理端末４０１による中継動作が開始されたとき、第１情報処理端末４０１を介して画像形成装置１０１と通信する（Ｓ１３からＳ１８）。【選択図】図４
2018007098.tif 000002
【特許請求の範囲】
【請求項１】
ユーザ同士が互いに通話を行うことができるように電話通信を行う第１情報処理端末及び第２情報処理端末と、画像形成装置とを含む情報処理システムであって、
前記第１情報処理端末は、
前記第１情報処理端末と前記画像形成装置とが互いに通信可能であるとき、前記第１情報処理端末が前記画像形成装置と連携して動作可能になるように制御を行う第１連携制御手段と、
前記第１情報処理端末が前記画像形成装置と連携して動作可能である場合において、前記第１情報処理端末が前記第２情報処理端末と電話通信を行っているとき、前記第１情報処理端末を操作するユーザからの中継開始操作を受け付ける開始操作受付手段と、
前記中継開始操作が受け付けられたとき、前記第２情報処理端末が前記画像形成装置と通信可能になるように中継動作を行う中継手段とを備え、
前記第２情報処理端末は、
前記第１情報処理端末と電話通信を行っている場合において、前記第１情報処理端末による前記中継動作が開始されたとき、前記第１情報処理端末を介して前記画像形成装置と通信する中継通信手段を備える、情報処理システム。
【請求項２】
前記第２情報処理端末は、前記第１情報処理端末を介して前記画像形成装置と通信可能であるとき、前記第２情報処理端末が前記画像形成装置と連携して動作可能になるように制御を行う第２連携制御手段をさらに備える、請求項１に記載の情報処理システム。
【請求項３】
前記中継手段は、前記第２情報処理端末と前記画像形成装置とが通信可能となるようにＶＰＮ（Ｖｉｒｔｕａｌ  Ｐｒｉｖａｔｅ  Ｎｅｔｗｏｒｋ）を構築して前記中継動作を行う、請求項１又は２に記載の情報処理システム。
【請求項４】
前記開始操作受付手段は、前記第１連携制御手段により前記第１情報処理端末が前記画像形成装置と連携して動作するように制御されているとき、前記中継開始操作を受け付け可能になる、請求項１から３のいずれか１項に記載の情報処理システム。
【請求項５】
前記第１情報処理端末は、前記中継動作を行っているとき、前記画像形成装置から送信された操作用画面に関する情報を前記第２情報処理端末に送信する操作用画面送信手段をさらに備え、
前記第２情報処理端末は、前記第１情報処理端末から送信された前記操作用画面に関する情報に基づいて前記操作用画面を前記第２情報処理端末の表示画面に表示する操作用画面表示手段をさらに備える、請求項１から４のいずれか１項に記載の情報処理システム。
【請求項６】
前記第２情報処理端末は、前記第１情報処理端末により前記中継動作が行われているとき、前記第１情報処理端末を介して、前記第２情報処理端末が保持しているファイル又は前記第２情報処理端末が取得可能なファイルを前記画像形成装置に送信すると共に前記画像形成装置によりそのファイルの処理が行われるように前記画像形成装置に指示を行うファイル処理指示手段をさらに備える、請求項１から５のいずれか１項に記載の情報処理システム。
【請求項７】
前記ファイル処理指示手段は、前記ファイルの送信を行うと共に前記画像形成装置がそのファイルを出力するように前記画像形成装置に指示を行う、請求項６に記載の情報処理システム。
【請求項８】
前記画像形成装置は、
前記第１情報処理端末を介して送信された前記第２情報処理端末に関する情報を取得する取得手段と、
前記第１情報処理端末により前記中継動作が行われているとき、前記画像形成装置に対してユーザが直接行った指示又は前記第２情報処理端末に対してユーザが行った指示と、前記第２情報処理端末に関する情報とに基づいて、前記画像形成装置から前記第２情報処理端末に前記第１情報処理端末を介してファイルを送信するファイル送信手段とを備える、請求項１から７のいずれか１項に記載の情報処理システム。
【請求項９】
前記ファイル送信手段は、前記第２情報処理端末に関する情報に基づいて、前記画像形成装置により用紙をスキャンして読み取って得たファイルの送信先を第２情報処理端末とする旨の指示をユーザから受け付ける、請求項８に記載の情報処理システム。
【請求項１０】
前記中継手段は、前記第１連携制御手段により前記第１情報処理端末が前記画像形成装置と連携して動作可能になるように制御が行われたとき、前記第１情報処理端末が前記第２情報処理端末と電話通信を行っているか否かに応じて、前記中継動作を行うか否かを切り替える、請求項１から９のいずれか１項に記載の情報処理システム。
【請求項１１】
前記中継手段は、前記第１情報処理端末が前記第２情報処理端末と電話通信を行っている場合において、前記第１連携制御手段により前記第１情報処理端末が前記画像形成装置と連携して動作可能になるように制御が行われたとき、前記中継開始操作が受け付けられたか否かにかかわらず、前記中継動作を行う、請求項１から１０のいずれか１項に記載の情報処理システム。
【請求項１２】
前記中継手段は、前記第１情報処理端末が前記第２情報処理端末と電話通信を行っておらず、かつ、前記第１情報処理端末が前記画像形成装置と連携して動作可能である場合において、その後に前記第１情報処理端末で前記第２情報処理端末との電話通信を行うための着信又は発信があったとき、前記中継開始操作が行われたか否かにかかわらず、前記中継動作を行う、請求項１から１１のいずれか１項に記載の情報処理システム。
【請求項１３】
前記中継手段は、
前記第１情報処理端末が前記第２情報処理端末と電話通信を行っておらず、かつ、前記第１情報処理端末が前記画像形成装置と連携して動作可能である場合において、その後に前記第１情報処理端末で前記第２情報処理端末との電話通信を行うための着信又は発信があったとき、前記中継動作を開始するか否かをユーザに確認し、
前記中継動作を開始するか否かの確認結果に基づいて、前記中継動作を行う、請求項１から１１のいずれか１項に記載の情報処理システム。
【請求項１４】
前記第１連携制御手段により前記第１情報処理端末が前記画像形成装置と連携して動作可能になるように制御されている場合において、前記画像形成装置の遠隔操作権限は、
前記中継動作が行われていないときには前記第１情報処理端末により保有され、
前記中継動作が行われているときには前記第２情報処理端末により保有される、請求項１から１３のいずれか１項に記載の情報処理システム。
【請求項１５】
前記第１情報処理端末は、前記中継手段により前記中継動作が行われているとき、前記中継動作が行われている状態である旨の表示を前記第１情報処理端末の表示画面に表示する中継状態表示手段をさらに備える、請求項１から１４のいずれか１項に記載の情報処理システム。
【請求項１６】
前記第１情報処理端末は、前記第１情報処理端末が前記第２情報処理端末と電話通信を行っている場合であって、前記中継手段により前記中継動作が行われているとき、前記中継動作を終了させるためのユーザの操作を受け付ける第１終了操作受付手段をさらに備え、
前記中継手段は、前記第１終了操作受付手段によりユーザの操作が受け付けられたとき、前記電話通信を継続させたままで前記中継動作を終了させる、請求項１から１５のいずれか１項に記載の情報処理システム。
【請求項１７】
前記第２情報処理端末は、前記第１情報処理端末が前記第２情報処理端末と電話通信を行っている場合であって、前記中継手段により前記中継動作が行われているとき、前記中継動作を終了させるためのユーザの操作を受け付ける第２終了操作受付手段をさらに備え、
前記中継手段は、前記第２終了操作受付手段によりユーザの操作が受け付けられたとき、前記電話通信を継続させたままで前記中継動作を終了させる、請求項１から１６のいずれか１項に記載の情報処理システム。
【請求項１８】
前記中継手段は、前記第１連携制御手段により前記第１情報処理端末が前記画像形成装置と連携して動作するように制御されており、前記中継動作を行っている場合において、前記第１連携制御手段による制御が終了されたとき、前記中継動作を終了させる、請求項１から１６のいずれか１項に記載の情報処理システム。
【請求項１９】
画像形成装置と共に用いられ、他の情報処理端末との間でユーザ同士が互いに通話を行うことができるように電話通信を行う情報処理端末であって、
前記情報処理端末と前記画像形成装置とが互いに通信可能であるとき、前記情報処理端末が前記画像形成装置と連携して動作可能になるように制御を行う連携制御手段と、
前記情報処理端末が前記画像形成装置と連携して動作可能である場合において、前記情報処理端末が前記他の情報処理端末と電話通信を行っているとき、前記情報処理端末を操作するユーザからの中継開始操作を受け付ける開始操作受付手段と、
前記中継開始操作が受け付けられたとき、前記他の情報処理端末と前記画像形成装置とが通信可能になるように中継動作を行う中継手段とを備える、情報処理端末。
【請求項２０】
前記中継手段は、前記他の情報処理端末と前記画像形成装置とが通信可能となるようにＶＰＮ（Ｖｉｒｔｕａｌ  Ｐｒｉｖａｔｅ  Ｎｅｔｗｏｒｋ）を構築して前記中継動作を行う、請求項１９に記載の情報処理端末。
【請求項２１】
前記開始操作受付手段は、前記連携制御手段により前記情報処理端末が前記画像形成装置と連携して動作するように制御されているとき、前記中継開始操作を受け付け可能になる、請求項１９又は２０に記載の情報処理端末。
【請求項２２】
前記中継手段は、前記連携制御手段により前記情報処理端末が前記画像形成装置と連携して動作可能になるように制御が行われたとき、前記情報処理端末が前記他の情報処理端末と電話通信を行っているか否かに応じて、前記中継動作を行うか否かを切り替える、請求項１９から２１のいずれか１項に記載の情報処理端末。
【請求項２３】
前記中継手段は、前記情報処理端末が前記他の情報処理端末と電話通信を行っている場合において、前記連携制御手段により前記情報処理端末が前記画像形成装置と連携して動作可能になるように制御が行われたとき、前記中継開始操作が受け付けられたか否かにかかわらず、前記中継動作を行う、請求項１９から２２のいずれか１項に記載の情報処理端末。
【請求項２４】
前記中継手段は、前記情報処理端末が前記他の情報処理端末と電話通信を行っておらず、かつ、前記情報処理端末が前記画像形成装置と連携して動作可能である場合において、その後に前記情報処理端末で前記他の情報処理端末との電話通信を行うための着信又は発信があったとき、前記中継開始操作が行われたか否かにかかわらず、前記中継動作を行う、請求項１９から２３のいずれか１項に記載の情報処理端末。
【請求項２５】
前記中継手段は、
前記情報処理端末が前記他の情報処理端末と電話通信を行っておらず、かつ、前記情報処理端末が前記画像形成装置と連携して動作可能である場合において、その後に前記情報処理端末で前記他の情報処理端末との電話通信を行うための着信又は発信があったとき、前記中継動作を開始するか否かをユーザに確認し、
前記中継動作を開始するか否かの確認結果に基づいて、前記中継動作を行う、請求項１９から２４のいずれか１項に記載の情報処理端末。
【請求項２６】
前記中継手段により前記中継動作が行われているとき、前記中継動作が行われている状態である旨の表示を前記情報処理端末の表示画面に表示する中継状態表示手段をさらに備える、請求項１９から２５のいずれか１項に記載の情報処理端末。
【請求項２７】
前記情報処理端末は、前記情報処理端末が前記他の情報処理端末と電話通信を行っている場合であって、前記中継手段により前記中継動作が行われているとき、前記中継動作を終了させるためのユーザの操作を受け付ける第１終了操作受付手段をさらに備え、
前記中継手段は、前記第１終了操作受付手段によりユーザの操作が受け付けられたとき、前記電話通信を継続させたままで前記中継動作を終了させる、請求項１９から２６のいずれか１項に記載の情報処理端末。
【請求項２８】
前記中継手段は、前記連携制御手段により前記情報処理端末が前記画像形成装置と連携して動作するように制御されており、前記中継動作を行っている場合において、前記連携制御手段による制御が終了されたとき、前記中継動作を終了させる、請求項１９から２７のいずれか１項に記載の情報処理端末。
【請求項２９】
情報処理端末と連携して動作可能な画像形成装置であって、
前記画像形成装置と通信可能な第１情報処理端末による中継動作により、前記第１情報処理端末とは異なる第２情報処理端末と通信を行う通信手段と、
前記通信手段による通信が行われることにより、前記第１情報処理端末を介して送信された前記第２情報処理端末に関する情報を取得する取得手段と、
前記通信手段による通信が行われているとき、前記画像形成装置に対してユーザが直接行った指示又は前記第２情報処理端末に対してユーザが行った指示と、前記第２情報処理端末に関する情報とに基づいて、前記画像形成装置から前記第２情報処理端末に前記第１情報処理端末を介してファイルを送信するファイル送信手段とを備える、画像形成装置。
【請求項３０】
前記ファイル送信手段は、前記第２情報処理端末に関する情報に基づいて、前記画像形成装置により用紙をスキャンして読み取って得たファイルの送信先を第２情報処理端末とする旨の指示をユーザから受け付ける、請求項２９に記載の画像形成装置。
【請求項３１】
画像形成装置と共に用いられ、他の情報処理端末との間でユーザ同士が互いに通話を行うことができるように電話通信を行う情報処理端末の制御方法であって、
前記情報処理端末と前記画像形成装置とが互いに通信可能であるとき、前記情報処理端末が前記画像形成装置と連携して動作可能になるように制御を行う連携制御ステップと、
前記情報処理端末が前記画像形成装置と連携して動作可能である場合において、前記情報処理端末が前記他の情報処理端末と電話通信を行っているとき、前記情報処理端末を操作するユーザからの中継開始操作を受け付ける開始操作受付ステップと、
前記中継開始操作が受け付けられたとき、前記他の情報処理端末と前記画像形成装置とが通信可能になるように中継動作を行う中継ステップとを備える、情報処理端末の制御方法。
【請求項３２】
情報処理端末と連携して動作可能な画像形成装置の制御方法であって、
前記画像形成装置と通信可能な第１情報処理端末による中継動作により、前記第１情報処理端末とは異なる第２情報処理端末と通信を行う通信ステップと、
前記通信ステップによる通信が行われることにより、前記第１情報処理端末を介して送信された前記第２情報処理端末に関する情報を取得する取得ステップと、
前記通信ステップによる通信が行われているとき、前記画像形成装置に対してユーザが直接行った指示又は前記第２情報処理端末に対してユーザが行った指示と、前記第２情報処理端末に関する情報とに基づいて、前記画像形成装置から前記第２情報処理端末に前記第１情報処理端末を介してファイルを送信するファイル送信ステップとを備える、画像形成装置の制御方法。
【請求項３３】
画像形成装置と共に用いられ、他の情報処理端末との間でユーザ同士が互いに通話を行うことができるように電話通信を行う情報処理端末の制御プログラムであって、
前記情報処理端末と前記画像形成装置とが互いに通信可能であるとき、前記情報処理端末が前記画像形成装置と連携して動作可能になるように制御を行う連携制御ステップと、
前記情報処理端末が前記画像形成装置と連携して動作可能である場合において、前記情報処理端末が前記他の情報処理端末と電話通信を行っているとき、前記情報処理端末を操作するユーザからの中継開始操作を受け付ける開始操作受付ステップと、
前記中継開始操作が受け付けられたとき、前記他の情報処理端末と前記画像形成装置とが通信可能になるように中継動作を行う中継ステップとをコンピュータに実行させる、情報処理端末の制御プログラム。
【請求項３４】
情報処理端末と連携して動作可能な画像形成装置の制御プログラムであって、
前記画像形成装置と通信可能な第１情報処理端末による中継動作により、前記第１情報処理端末とは異なる第２情報処理端末と通信を行う通信ステップと、
前記通信ステップによる通信が行われることにより、前記第１情報処理端末を介して送信された前記第２情報処理端末に関する情報を取得する取得ステップと、
前記通信ステップによる通信が行われているとき、前記画像形成装置に対してユーザが直接行った指示又は前記第２情報処理端末に対してユーザが行った指示と、前記第２情報処理端末に関する情報とに基づいて、前記画像形成装置から前記第２情報処理端末に前記第１情報処理端末を介してファイルを送信するファイル送信ステップとをコンピュータに実行させる、画像形成装置の制御プログラム。
【発明の詳細な説明】
【技術分野】
【０００１】
この発明は、情報処理システム、情報処理端末、画像形成装置、情報処理端末の制御方法、画像形成装置の制御方法、情報処理端末の制御プログラム、及び画像形成装置の制御プログラムに関し、特に、画像形成装置と連携して動作可能な情報処理端末を含む情報処理システム、情報処理端末、画像形成装置、情報処理端末の制御方法、画像形成装置の制御方法、情報処理端末の制御プログラム、及び画像形成装置の制御プログラムに関する。
【背景技術】
【０００２】
例えばオフィスソリューション等の分野において、画像形成装置を用いた情報処理システムが種々用いられている。このような情報処理システムにおいて用いられる画像形成装置には、スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）や、ファクシミリ装置、複写機、及びプリンタなどがある。
【０００３】
下記特許文献１には、画像形成装置と連携して動作可能な携帯端末を用いた操作入力システムの構成が開示されている。この操作入力システムにおいては、画像形成装置と連携した携帯端末に画像形成装置のリモートパネルを表示させて画像形成装置をリモート操作することができるように構成されている。
【０００４】
なお、下記特許文献２には、親機であるオーディオ機器と、そのオーディオ機器に対応する子機である充電器と、携帯電話機とを用いた近接通信システムの構成が開示されている。このシステムは、携帯電話機と充電器との認証が成功したときに、携帯電話機からオーディオ機器を制御することができるように構成されている。
【先行技術文献】
【特許文献】
【０００５】
【特許文献１】特開２０１５−１２２０１４号公報
【特許文献２】特開２０１４−０５７２３５号公報
【発明の概要】
【発明が解決しようとする課題】
【０００６】
ところで、上記の特許文献１に記載されているような操作入力システムでは、携帯端末が画像形成装置から離れている場合などに、携帯端末から画像形成装置を利用することができない場合があるという問題があった。
【０００７】
例えば、画像形成装置が、外部からのリモートアクセスが遮断されたローカルネットワーク上にある場合において、そのようなローカルネットワークに接続可能なオフィス内等にある携帯端末を用いれば、ユーザは画像形成装置のリモート操作を行うことは可能である。しかしながら、ユーザが外出先にいる場合など、携帯端末がローカルネットワークに接続できない環境にあるときには、携帯端末を画像形成装置に連携させることができず、画像形成装置のリモート操作を行うことができない。
【０００８】
携帯端末を画像形成装置に連携させることができない場合において、画像形成装置を利用するためには、画像形成装置の近傍にいるユーザに電話等で指示を行うなどして、画像形成装置の操作を代行してもらう必要がある。しかしながら、こうした作業を代行してもらうのは作業効率が悪いという問題がある。例えば、画像形成装置を利用した文書の出力作業や送付作業を行ってもらうには、電話を通した会話によって作業に必要な情報を正確に伝達する必要があり、大きな作業負担が生じる。具体的には、例えば、出力対象の文書を特定する情報や、送付先となる電子メールアドレスなどの情報を口頭で正確に伝達する必要があり、大きな作業負担となる。
【０００９】
この発明はそのような問題点を解決するためになされたものであり、より利便性が高い情報処理システム、情報処理端末、画像形成装置、情報処理端末の制御方法、画像形成装置の制御方法、情報処理端末の制御プログラム、及び画像形成装置の制御プログラムを提供することを目的としている。
【課題を解決するための手段】
【００１０】
上記目的を達成するためこの発明のある局面に従うと、ユーザ同士が互いに通話を行うことができるように電話通信を行う第１情報処理端末及び第２情報処理端末と、画像形成装置とを含む情報処理システムは、第１情報処理端末は、第１情報処理端末と画像形成装置とが互いに通信可能であるとき、第１情報処理端末が画像形成装置と連携して動作可能になるように制御を行う第１連携制御手段と、第１情報処理端末が画像形成装置と連携して動作可能である場合において、第１情報処理端末が第２情報処理端末と電話通信を行っているとき、第１情報処理端末を操作するユーザからの中継開始操作を受け付ける開始操作受付手段と、中継開始操作が受け付けられたとき、第２情報処理端末が画像形成装置と通信可能になるように中継動作を行う中継手段とを備え、第２情報処理端末は、第１情報処理端末と電話通信を行っている場合において、第１情報処理端末による中継動作が開始されたとき、第１情報処理端末を介して画像形成装置と通信する中継通信手段を備える。
【００１１】
好ましくは、第２情報処理端末は、第１情報処理端末を介して画像形成装置と通信可能であるとき、第２情報処理端末が画像形成装置と連携して動作可能になるように制御を行う第２連携制御手段をさらに備える。
【００１２】
好ましくは、中継手段は、第２情報処理端末と画像形成装置とが通信可能となるようにＶＰＮ（Ｖｉｒｔｕａｌ  Ｐｒｉｖａｔｅ  Ｎｅｔｗｏｒｋ）を構築して中継動作を行う。
【００１３】
好ましくは、開始操作受付手段は、第１連携制御手段により第１情報処理端末が画像形成装置と連携して動作するように制御されているとき、中継開始操作を受け付け可能になる。
【００１４】
好ましくは、第１情報処理端末は、中継動作を行っているとき、画像形成装置から送信された操作用画面に関する情報を第２情報処理端末に送信する操作用画面送信手段をさらに備え、第２情報処理端末は、第１情報処理端末から送信された操作用画面に関する情報に基づいて操作用画面を第２情報処理端末の表示画面に表示する操作用画面表示手段をさらに備える。
【００１５】
好ましくは、第２情報処理端末は、第１情報処理端末により中継動作が行われているとき、第１情報処理端末を介して、第２情報処理端末が保持しているファイル又は第２情報処理端末が取得可能なファイルを画像形成装置に送信すると共に画像形成装置によりそのファイルの処理が行われるように画像形成装置に指示を行うファイル処理指示手段をさらに備える。
【００１６】
好ましくは、ファイル処理指示手段は、ファイルの送信を行うと共に画像形成装置がそのファイルを出力するように画像形成装置に指示を行う。
【００１７】
好ましくは、画像形成装置は、第１情報処理端末を介して送信された第２情報処理端末に関する情報を取得する取得手段と、第１情報処理端末により中継動作が行われているとき、画像形成装置に対してユーザが直接行った指示又は第２情報処理端末に対してユーザが行った指示と、第２情報処理端末に関する情報とに基づいて、画像形成装置から第２情報処理端末に第１情報処理端末を介してファイルを送信するファイル送信手段とを備える。
【００１８】
好ましくは、ファイル送信手段は、第２情報処理端末に関する情報に基づいて、画像形成装置により用紙をスキャンして読み取って得たファイルの送信先を第２情報処理端末とする旨の指示をユーザから受け付ける。
【００１９】
好ましくは、中継手段は、第１連携制御手段により第１情報処理端末が画像形成装置と連携して動作可能になるように制御が行われたとき、第１情報処理端末が第２情報処理端末と電話通信を行っているか否かに応じて、中継動作を行うか否かを切り替える。
【００２０】
好ましくは、中継手段は、第１情報処理端末が第２情報処理端末と電話通信を行っている場合において、第１連携制御手段により第１情報処理端末が画像形成装置と連携して動作可能になるように制御が行われたとき、中継開始操作が受け付けられたか否かにかかわらず、中継動作を行う。
【００２１】
好ましくは、中継手段は、第１情報処理端末が第２情報処理端末と電話通信を行っておらず、かつ、第１情報処理端末が画像形成装置と連携して動作可能である場合において、その後に第１情報処理端末で第２情報処理端末との電話通信を行うための着信又は発信があったとき、中継開始操作が行われたか否かにかかわらず、中継動作を行う。
【００２２】
好ましくは、中継手段は、第１情報処理端末が第２情報処理端末と電話通信を行っておらず、かつ、第１情報処理端末が画像形成装置と連携して動作可能である場合において、その後に第１情報処理端末で第２情報処理端末との電話通信を行うための着信又は発信があったとき、中継動作を開始するか否かをユーザに確認し、中継動作を開始するか否かの確認結果に基づいて、中継動作を行う。
【００２３】
好ましくは、第１連携制御手段により第１情報処理端末が画像形成装置と連携して動作可能になるように制御されている場合において、画像形成装置の遠隔操作権限は、中継動作が行われていないときには第１情報処理端末により保有され、中継動作が行われているときには第２情報処理端末により保有される。
【００２４】
好ましくは、第１情報処理端末は、中継手段により中継動作が行われているとき、中継動作が行われている状態である旨の表示を第１情報処理端末の表示画面に表示する中継状態表示手段をさらに備える。
【００２５】
好ましくは、第１情報処理端末は、第１情報処理端末が第２情報処理端末と電話通信を行っている場合であって、中継手段により中継動作が行われているとき、中継動作を終了させるためのユーザの操作を受け付ける第１終了操作受付手段をさらに備え、中継手段は、第１終了操作受付手段によりユーザの操作が受け付けられたとき、電話通信を継続させたままで中継動作を終了させる。
【００２６】
好ましくは、第２情報処理端末は、第１情報処理端末が第２情報処理端末と電話通信を行っている場合であって、中継手段により中継動作が行われているとき、中継動作を終了させるためのユーザの操作を受け付ける第２終了操作受付手段をさらに備え、中継手段は、第２終了操作受付手段によりユーザの操作が受け付けられたとき、電話通信を継続させたままで中継動作を終了させる。
【００２７】
好ましくは、中継手段は、第１連携制御手段により第１情報処理端末が画像形成装置と連携して動作するように制御されており、中継動作を行っている場合において、第１連携制御手段による制御が終了されたとき、中継動作を終了させる。
【００２８】
この発明の他の局面に従うと、画像形成装置と共に用いられ、他の情報処理端末との間でユーザ同士が互いに通話を行うことができるように電話通信を行う情報処理端末は、情報処理端末と画像形成装置とが互いに通信可能であるとき、情報処理端末が画像形成装置と連携して動作可能になるように制御を行う連携制御手段と、情報処理端末が画像形成装置と連携して動作可能である場合において、情報処理端末が他の情報処理端末と電話通信を行っているとき、情報処理端末を操作するユーザからの中継開始操作を受け付ける開始操作受付手段と、中継開始操作が受け付けられたとき、他の情報処理端末と画像形成装置とが通信可能になるように中継動作を行う中継手段とを備える。
【００２９】
好ましくは、中継手段は、他の情報処理端末と画像形成装置とが通信可能となるようにＶＰＮ（Ｖｉｒｔｕａｌ  Ｐｒｉｖａｔｅ  Ｎｅｔｗｏｒｋ）を構築して中継動作を行う。
【００３０】
好ましくは、開始操作受付手段は、連携制御手段により情報処理端末が画像形成装置と連携して動作するように制御されているとき、中継開始操作を受け付け可能になる。
【００３１】
好ましくは、中継手段は、連携制御手段により情報処理端末が画像形成装置と連携して動作可能になるように制御が行われたとき、情報処理端末が他の情報処理端末と電話通信を行っているか否かに応じて、中継動作を行うか否かを切り替える。
【００３２】
好ましくは、中継手段は、前記情報処理端末が前記他の情報処理端末と電話通信を行っている場合において、前記連携制御手段により前記情報処理端末が前記画像形成装置と連携して動作可能になるように制御が行われたとき、前記中継開始操作が受け付けられたか否かにかかわらず、前記中継動作を行う。
【００３３】
好ましくは、中継手段は、前記情報処理端末が前記他の情報処理端末と電話通信を行っておらず、かつ、前記情報処理端末が前記画像形成装置と連携して動作可能である場合において、その後に前記情報処理端末で前記他の情報処理端末との電話通信を行うための着信又は発信があったとき、前記中継開始操作が行われたか否かにかかわらず、前記中継動作を行う。
【００３４】
好ましくは、中継手段は、前記情報処理端末が前記他の情報処理端末と電話通信を行っておらず、かつ、前記情報処理端末が前記画像形成装置と連携して動作可能である場合において、その後に前記情報処理端末で前記他の情報処理端末との電話通信を行うための着信又は発信があったとき、前記中継動作を開始するか否かをユーザに確認し、前記中継動作を開始するか否かの確認結果に基づいて、前記中継動作を行う。
【００３５】
好ましくは、中継手段により中継動作が行われているとき、中継動作が行われている状態である旨の表示を情報処理端末の表示画面に表示する中継状態表示手段をさらに備える。
【００３６】
好ましくは、情報処理端末は、前記情報処理端末が前記他の情報処理端末と電話通信を行っている場合であって、前記中継手段により前記中継動作が行われているとき、前記中継動作を終了させるためのユーザの操作を受け付ける第１終了操作受付手段をさらに備え、前記中継手段は、前記第１終了操作受付手段によりユーザの操作が受け付けられたとき、前記電話通信を継続させたままで前記中継動作を終了させる。
【００３７】
好ましくは、中継手段は、前記連携制御手段により前記情報処理端末が前記画像形成装置と連携して動作するように制御されており、前記中継動作を行っている場合において、前記連携制御手段による制御が終了されたとき、前記中継動作を終了させる。
【００３８】
この発明のさらに他の局面に従うと、情報処理端末と連携して動作可能な画像形成装置は、画像形成装置と通信可能な第１情報処理端末による中継動作により、第１情報処理端末とは異なる第２情報処理端末と通信を行う通信手段と、通信手段による通信が行われることにより、第１情報処理端末を介して送信された第２情報処理端末に関する情報を取得する取得手段と、通信手段による通信が行われているとき、画像形成装置に対してユーザが直接行った指示又は第２情報処理端末に対してユーザが行った指示と、第２情報処理端末に関する情報とに基づいて、画像形成装置から第２情報処理端末に第１情報処理端末を介してファイルを送信するファイル送信手段とを備える。
【００３９】
好ましくは、ファイル送信手段は、第２情報処理端末に関する情報に基づいて、画像形成装置により用紙をスキャンして読み取って得たファイルの送信先を第２情報処理端末とする旨の指示をユーザから受け付ける。
【００４０】
この発明のさらに他の局面に従うと、画像形成装置と共に用いられ、他の情報処理端末との間でユーザ同士が互いに通話を行うことができるように電話通信を行う情報処理端末の制御方法は、情報処理端末と画像形成装置とが互いに通信可能であるとき、情報処理端末が画像形成装置と連携して動作可能になるように制御を行う連携制御ステップと、情報処理端末が画像形成装置と連携して動作可能である場合において、情報処理端末が他の情報処理端末と電話通信を行っているとき、情報処理端末を操作するユーザからの中継開始操作を受け付ける開始操作受付ステップと、中継開始操作が受け付けられたとき、他の情報処理端末と画像形成装置とが通信可能になるように中継動作を行う中継ステップとを備える。
【００４１】
この発明のさらに他の局面に従うと、情報処理端末と連携して動作可能な画像形成装置の制御方法は、画像形成装置と通信可能な第１情報処理端末による中継動作により、第１情報処理端末とは異なる第２情報処理端末と通信を行う通信ステップと、通信ステップによる通信が行われることにより、第１情報処理端末を介して送信された第２情報処理端末に関する情報を取得する取得ステップと、通信ステップによる通信が行われているとき、画像形成装置に対してユーザが直接行った指示又は第２情報処理端末に対してユーザが行った指示と、第２情報処理端末に関する情報とに基づいて、画像形成装置から第２情報処理端末に第１情報処理端末を介してファイルを送信するファイル送信ステップとを備える。
【００４２】
この発明のさらに他の局面に従うと、画像形成装置と共に用いられ、他の情報処理端末との間でユーザ同士が互いに通話を行うことができるように電話通信を行う情報処理端末の制御プログラムは、情報処理端末と画像形成装置とが互いに通信可能であるとき、情報処理端末が画像形成装置と連携して動作可能になるように制御を行う連携制御ステップと、情報処理端末が画像形成装置と連携して動作可能である場合において、情報処理端末が他の情報処理端末と電話通信を行っているとき、情報処理端末を操作するユーザからの中継開始操作を受け付ける開始操作受付ステップと、中継開始操作が受け付けられたとき、他の情報処理端末と画像形成装置とが通信可能になるように中継動作を行う中継ステップとをコンピュータに実行させる。
【００４３】
この発明のさらに他の局面に従うと、情報処理端末と連携して動作可能な画像形成装置の制御プログラムは、画像形成装置と通信可能な第１情報処理端末による中継動作により、第１情報処理端末とは異なる第２情報処理端末と通信を行う通信ステップと、通信ステップによる通信が行われることにより、第１情報処理端末を介して送信された第２情報処理端末に関する情報を取得する取得ステップと、通信ステップによる通信が行われているとき、画像形成装置に対してユーザが直接行った指示又は第２情報処理端末に対してユーザが行った指示と、第２情報処理端末に関する情報とに基づいて、画像形成装置から第２情報処理端末に第１情報処理端末を介してファイルを送信するファイル送信ステップとをコンピュータに実行させる。
【発明の効果】
【００４４】
これらの発明に従うと、より利便性が高い情報処理システム、情報処理端末、画像形成装置、情報処理端末の制御方法、画像形成装置の制御方法、情報処理端末の制御プログラム、及び画像形成装置の制御プログラムを提供することができる。
【図面の簡単な説明】
【００４５】
【図１】本発明の実施の形態の１つにおける画像形成システムを示すブロック図である。
【図２】画像形成装置のハードウェア構成を示すブロック図である。
【図３】本実施の形態における携帯端末の構成を示すブロック図である。
【図４】中継動作の一例を説明する図である。
【図５】第２携帯端末と電話通信を行っているときの第１携帯端末の通話中画面の一例を示す図である。
【図６】本実施の形態における画像形成装置の動作を示すフローチャートである。
【図７】連携処理を示すフローチャートである。
【図８】ジョブ実行処理を示すフローチャートである。
【図９】外部機器登録処理を示すフローチャートである。
【図１０】第１携帯端末の動作を示す第１のフローチャートである。
【図１１】第１携帯端末の動作を示す第２のフローチャートである。
【図１２】第１携帯端末の動作を示す第３のフローチャートである。
【図１３】スキャンアウト受信処理の動作を示すフローチャートである。
【図１４】中継が行われる場合の第２携帯端末の動作を示すフローチャートである。
【図１５】スキャンアウト機能を説明する図である。
【図１６】遠隔プリント機能を説明する図である。
【発明を実施するための形態】
【００４６】
以下、本発明の実施の形態の一例に係る画像形成システム（情報処理システムの一例）について説明する。
【００４７】
画像形成システムは、画像形成装置と２つの携帯端末（携帯情報端末；情報処理端末の一例）とで構成されている。
【００４８】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能は、セットされた原稿の画像を読み取ってそれをＨＤＤ（Ｈａｒｄ  Ｄｉｓｋ  Ｄｒｉｖｅ）等に蓄積する機能である。複写機能は、さらにそれを用紙等に印刷（プリント）する機能である。プリンタとしての機能は、ＰＣ等の外部端末から印刷指示を受けるとその指示に基づいて用紙に印刷を行う機能である。ファクシミリ機能は、外部のファクシミリ装置等からファクシミリデータを受信してそれをＨＤＤ等に蓄積する機能である。データ通信機能は、接続された外部機器との間でデータを送受信する機能である。サーバ機能は、複数のユーザでＨＤＤ等に記憶したデータなどを共有可能にする機能である。
【００４９】
携帯端末は、例えば、電話通信を行う機能、データ通信機能、及び情報記憶、閲覧、出力機能など、種々の機能を備えた、スマートフォンである。携帯端末は、タブレット型端末やその他の電子計算機（情報処理端末の一例）等であってもよい。電話通信を行う機能は、例えば、公衆電話網や携帯電話網を介して、他の装置との間で電話をすることができるようにする機能である。電話通信を行う機能は、いわゆるＩＰ電話やインターネット電話等により他の機器との間で電話をできるようにするものであってもよい。データ通信機能は、例えば携帯電話網やその他のネットワークを介して、他の装置との間でデータ通信を行う機能である。データ通信機能は、例えば、無線通信により行うことができる。情報記憶、閲覧、出力機能は、外部装置から送られた情報や、ユーザから入力された情報を記憶したり、記憶した情報を表示器に表示したり、外部装置へ送信したりすることを可能にする機能である。
【００５０】
画像形成装置は、ＬＡＮ（Ｌｏｃａｌ  Ａｒｅａ  Ｎｅｔｗｏｒｋ）等のネットワークに接続されている。また、携帯端末は、ＬＡＮ等のネットワークに接続可能である。画像形成装置と携帯端末とが、同一のＬＡＮ等のネットワークに接続されている場合には、互いにネットワークを介して通信できる。画像形成装置と携帯端末とは、共に、例えばタッチパネルなどの表示装置を有している。本実施の形態においては、画像形成装置と携帯端末とが互いに通信可能な状況において、所定の連携動作を行うための制御が実行された場合、携帯端末の表示部に画像形成装置の操作用画像などを表示させ、画像形成装置と携帯端末とを連携させて画像形成システムを使用可能である。
【００５１】
［実施の形態］
【００５２】
図１は、本発明の実施の形態の１つにおける画像形成システムを示すブロック図である。
【００５３】
本実施の形態において、画像形成システム９０１は、画像形成装置１０１と、２つの携帯端末４０１，６０１（第１携帯端末４０１及び第２携帯端末６０１）とで構成されている。
【００５４】
図１に示されるように、本実施の形態では、例えば、次のような場合を想定する。ユーザＡが第１携帯端末４０１を保持し、ユーザＢが第２携帯端末６０１を保持している。また、画像形成装置１０１と第１携帯端末４０１とは、共に、同一のオフィス内などの空間２０１において比較的近い場所で使用されている。その空間２０１よりも離れた屋外等で、第２携帯端末６０１が使用されている。
【００５５】
画像形成装置１０１と第１携帯端末４０１とは、ネットワーク８０１を介して互いに通信可能に接続されている。ネットワーク８０１は、例えば、構内情報通信網（ＬＡＮ）である。画像形成装置１０１は、いわゆる有線ＬＡＮ経由でネットワーク８０１に接続されている。他方、第１携帯端末４０１は、いわゆる無線ＬＡＮ経由でネットワーク８０１に接続されている。すなわち、ネットワーク８０１には、無線ＬＡＮアクセスポイントである接続装置２５１が接続されている。第１携帯端末４０１は、接続装置２５１に無線接続することで、接続装置２５１を介して、ネットワーク８０１に接続されている。
【００５６】
なお、各装置の接続態様は、これに限られるものではない。例えば、画像形成装置１０１と第１携帯端末４０１とが、近距離無線通信技術などを利用して機器間相互通信可能に接続されるようにしてもよい。
【００５７】
ネットワーク８０１は、ファイアウォールを実現するルーティング機能を有する装置（図示せず）等を介して、インターネット２９０に接続されている。すなわち、画像形成装置１０１や第１携帯端末４０１は、ネットワーク８０１を介してインターネット２９０にアクセス可能である。インターネット２９０側からネットワーク８０１内の機器に対しては、所定の通信プロトコルによってのみアクセスできるように、ファイアウォールにより制限されている。
【００５８】
第２携帯端末６０１は、空間２０１から離れた場所にある。第２携帯端末６０１は、例えばモバイルデータ通信を利用して、インターネット２９０にアクセス可能である。
【００５９】
第１携帯端末４０１と第２携帯端末６０１とは、互いに、ユーザＡとユーザＢとが互いに通話を行うことができるように電話通信を行うことができる。電話通信は、携帯電話網を介して行われるが、これに限られるものではない。
【００６０】
本実施の形態において、画像形成装置１０１は、画像形成装置１０１と、画像形成装置１０１とネットワーク８０１を通じて通信可能な装置とを連携して動作させる連携管理装置としての動作を行う。すなわち、図１に示されるような場合、画像形成装置１０１の連携管理装置の制御に基づいて、画像形成装置１０１と、第１携帯端末４０１とが連携して動作可能である。このような連携動作は、例えば、第１携帯端末４０１においてユーザＡにより行われた所定の操作が受け付けられたときに、第１携帯端末４０１と画像形成装置１０１とが通信を行うことで開始される。画像形成装置１０１において、第１携帯端末４０１を連携する対象として認証可能であると判断された場合には、画像形成装置１０１と第１携帯端末４０１とが連携して動作するようにペアリングされる。
【００６１】
画像形成装置１０１と第１携帯端末４０１とがペアリングされて連携動作が行われると、例えば、画像形成装置１０１の制御に基づいて、画像形成装置１０１の操作用画像が第１携帯端末４０１の表示部４３１に表示され、ユーザＡによる操作が第１携帯端末４０１により受け付けられる。第１携帯端末４０１でユーザＡによる操作が受け付けられると、その情報が画像形成装置１０１に送信され、画像形成装置１０１がそれに応じて動作する（リモートパネル機能）。
【００６２】
なお、図１に示されるように第２携帯端末６０１は空間２０１から離れた場所にあり、ネットワーク８０１に接続されていない。そのため、このような状況下においては、第２携帯端末６０１は、直接には画像形成装置１０１に連携させることができない。
【００６３】
なお、画像形成装置１０１とのペアリングは、ネットワーク８０１を介して行われるものに限られず、例えばＢｌｕｅｔｏｏｔｈ（登録商標）等の所定の通信プロファイルを利用して第１携帯端末４０１との間で相互に通信を行うことにより行われるように構成されていてもよい。
【００６４】
［画像形成装置１０１の構成］
【００６５】
図２は、画像形成装置１０１のハードウェア構成を示すブロック図である。
【００６６】
図２に示すように、画像形成装置１０１は、操作部１１と、制御部（ＣＰＵ）２０と、画像形成部３０と、画像読取部４０と、ＲＯＭ２３と、ＲＡＭ２５と、不揮発メモリ２７とを有している。
【００６７】
制御部２０は、画像形成装置１０１の動作を制御する。
【００６８】
操作部１１は、画像形成装置１０１の上部前面（図において正面）側に配置されている。操作部１１には情報をユーザに表示する表示パネル１３が配置されている。
【００６９】
表示パネル１３は、タッチパネルである。表示パネル１３は、例えば、ＬＣＤ（Ｌｉｑｕｉｄ  Ｃｒｙｓｔａｌ  Ｄｉｓｐｌａｙ）である。表示パネル１３は、ユーザに案内画面を表示したり、操作ボタンを含む操作用画像を表示して、ユーザからのタッチ操作を受け付けたりする。表示パネル１３は、制御部２０の制御の下、画面制御部１７により制御されて表示を行う。操作部１１は、ユーザにより表示パネル１３へなされる操作入力を受け付ける。操作部１１は、表示パネル１３がユーザにより操作されると、その操作に応じた操作信号又は所定のコマンドを制御部２０に送信する。すなわち、ユーザは、表示パネル１３に操作を行うことにより、画像形成装置１０１に種々の動作を実行させることができる。
【００７０】
なお、上記のように画像形成装置１０１が第１携帯端末４０１等の外部機器と連携しているときには、表示パネル１３に表示される操作用画像が第１携帯端末４０１に送信され、第１携帯端末４０１の表示部４３１に表示される。制御部２０は、第１携帯端末４０１に対してユーザＡにより操作が行われたとき、その操作が表示パネル１３に行われた場合と同様に、画像形成装置１０１の制御を行う。
【００７１】
画像形成部３０は、大まかに、トナー像形成部、用紙搬送部、定着装置などを有しており、電子写真方式で用紙に画像を形成する。用紙搬送部は、用紙を給紙カセットから給紙して、トナー像形成部に搬送する。また、用紙搬送部は、トナー像形成部及び定着装置で画像が形成された用紙を、排紙トレイなどに排出する。
【００７２】
画像読取部４０は、画像読取部４０は、上述のスキャナ機能を実行する。画像読取部４０は、ＡＤＦ（Ａｕｔｏ  Ｄｏｃｕｍｅｎｔ  Ｆｅｅｄｅｒ）４１を有している。画像読取部４０は、透明な原稿台に配置された原稿をコンタクトイメージセンサにより走査して、それを画像データとして読み取る。また、画像読取部４０は、原稿トレイにセットされた複数の原稿を１枚ずつＡＤＦにより順次取り込みながら、コンタクトイメージセンサにより原稿を読み取り、画像データとする。
【００７３】
画像読取部４０により読み取られた画像は、制御部２０により、仕上がり画像に変換される。制御部２０は、生成した仕上がり画像を所定のデータ形式の画像ファイルとして外部装置などに送信したり（スキャンアウト機能）、その画像ファイルに基づいて画像形成部３０により用紙に画像を形成したりすることができる（複写機能）。
【００７４】
不揮発メモリ２７は、例えばフラッシュメモリやＨＤＤ（Ｈａｒｄ  Ｄｉｓｋ  Ｄｒｉｖｅ）などである。不揮発メモリ２７は、画像形成装置１０１の設定情報や、画像形成装置１０１の種々の動作を行うための制御プログラム２７ａなどを記憶する。また、不揮発メモリ２７は、画像形成装置１０１に接続されている外部装置などから送られた印刷ジョブのデータや、画像読取部４０で原稿を読み取ることで生成された画像ファイル２７ｄなどを記憶する。制御部２０は、不揮発メモリ２７から制御プログラム２７ａを読み出して、制御プログラム２７ａを実行することで、画像形成装置１０１の動作の制御などを行うことができる。
【００７５】
不揮発メモリ２７には、データベース管理部２７ｂが記憶されている。データベース管理部２７ｂは、制御部２０の制御の下、例えば、ユーザ認証を行うためのユーザ情報等を記録したユーザ情報データベースを管理する。また、データベース管理部２７ｂは、制御部２０の制御の下、例えば、スキャンアウト機能の送信先となる機器の宛先情報等を含む送信先データベースを管理する。
【００７６】
ＲＯＭ２３は、例えばフラッシュＲＯＭ（Ｆｌａｓｈ  Ｍｅｍｏｒｙ）である。ＲＯＭ２３には、画像形成装置１０１が動作するときに用いられるデータが記憶されている。ＲＯＭ２３には、不揮発メモリ２７と同様に、種々の制御プログラムや、画像形成装置１０１の機能設定データなどが記憶されていてもよい。制御部２０は、ＲＯＭ２３からのデータの読み込みや、ＲＯＭ２３へのデータの書き込みを行う。なお、ＲＯＭ２３は、書換え不可能なものであってもよい。
【００７７】
ＲＡＭ２５は、制御部２０のメインメモリである。ＲＡＭ２５は、制御部２０が制御プログラム２７ａを実行するときに必要なデータなどを記憶するのに用いられる。
【００７８】
制御部２０は、画像形成装置１０１の各部に、信号を送受可能に接続されている。制御部２０は、ＲＯＭ２３、ＲＡＭ２５、又は不揮発メモリ２７などに記憶された制御プログラム２７ａなどを実行することにより、画像形成装置１０１の種々の動作を制御する。制御部２０は、操作部１１から操作信号が送られたり、画像形成装置１０１に接続されている外部機器などから操作コマンドが送信されたりすると、それらに応じて所定の制御プログラム２７ａを実行する。これにより、ユーザによる操作部１１の操作などに応じて、画像形成装置１０１の所定の機能が実行される。
【００７９】
図２に示すように、画像形成装置１０１は、さらに、画面制御部１７、ネットワーク通信部５１、無線通信部５２、及び認証管理部８０などを有している。
【００８０】
画面制御部１７は、表示パネル１３の表示を制御する。画面制御部１７は、表示パネル１３に表示する画像を取得する処理を行う。すなわち、画面制御部１７は、例えば予め用意されて不揮発メモリ２７やＲＯＭ２３などに記憶されている表示画像を読み込み、表示パネル１３に表示したり、表示画像を生成して表示パネル１３に表示したりする。
【００８１】
ネットワーク通信部５１は、ネットワーク８０１に画像形成装置１０１を接続する。すなわち、ネットワーク通信部５１は、例えばＬＡＮで用いられる通信規格に基づいて、ネットワーク８０１に接続されている他の機器との間で通信可能である。ネットワーク通信部５１は、有線接続によりネットワーク８０１に接続するものであるが、無線接続（無線ＬＡＮなど）によりネットワーク８０１に接続するように構成されていてもよい。
【００８２】
無線通信部５２は、例えば、Ｂｌｕｅｔｏｏｔｈ（登録商標）等の規格に基づいて、外部機器と通信を行う。例えば第１携帯端末４０１が同様の通信規格に対応しているとき、無線通信部５２と第１携帯端末４０１とは通信可能に接続できる。上記の連携動作が、無線通信部５２を利用した通信により実現されるように構成されていてもよい。
【００８３】
認証管理部８０は、画像形成装置１０１について、ユーザ認証を行う。ユーザ認証は、画像形成装置１０１を利用するユーザを識別し、認証するジョブである。ユーザは、ユーザ認証による認証を経て、画像形成装置１０１にログインし、画像形成装置１０１を利用することができる。
【００８４】
ユーザ認証では、例えばデータベース管理部２７ｂにより管理されているユーザ情報データベースが用いられる。ユーザ情報データベースには、ユーザ認証可能なユーザの情報とそのユーザの認証に必要な認証情報とが対応付けられて記録されている。認証情報は、例えばユーザ毎に設定されたパスワードである。ユーザ情報データベースには、各ユーザについて実行を許可する機能に関する情報が、そのユーザに対応付けて記録されている。ユーザ認証の方式は公知の方法を適宜採用することができる。所定の方法でユーザ認証が行われることで、画像形成装置１０１は、ユーザを識別することができる。ユーザ情報データベースは、外部のサーバなどで管理されていてもよい。
【００８５】
ユーザ認証を行ってユーザを識別することで、表示パネル１３の表示や利用可能な機能などを認証されたユーザに適合するものにして、画像形成装置１０１の利便性を高められる。また、認証されたユーザが画像形成装置１０１の近くにいるときに、他のユーザの目に触れないようにして印刷物を出力できるなど、高いセキュリティ効果が得られる。画像形成装置１０１において、制御部２０は、ユーザ認証により識別したユーザに応じて、画像形成装置１０１の機能についてのユーザの使用権限を管理する。使用権限の管理が行われることで、ユーザ毎に、所定の機能の使用を制限することができ、高いセキュリティ効果が得られる。
【００８６】
［携帯端末４０１，６０１の構成］
【００８７】
図３は、本実施の形態における携帯端末４０１，６０１の構成を示すブロック図である。
【００８８】
携帯端末４０１，６０１は、例えばいわゆる多機能型携帯電話（スマートフォン）である。第１携帯端末４０１と第２携帯端末６０１とは、同一の構成を有している。なお、第１携帯端末４０１の構成と第２携帯端末６０１の構成とが若干異なっていてもよい。
【００８９】
図２に示されるように、携帯端末４０１，６０１は、大まかに、ＣＰＵ４２１，６２１と、記憶部４２３，６２３と、表示部４３１，６３１と、画面制御部４４１，６４１と、通信部４５１，６５１とを有している。携帯端末４０１，６０１は、ユーザが容易に把持可能なものである。
【００９０】
ＣＰＵ４２１，６２１は、記憶部４２３，６２３や携帯端末４０１，６０１の各部などを用いて、携帯端末４０１，６０１の動作を制御する。
【００９１】
記憶部４２３，６２３は、例えばＲＯＭやＲＡＭなどのメモリである。記憶部４２３，６２３には、携帯端末４０１，６０１で実行される制御プログラム４２３ａ，６２３ａが記憶されている。ＣＰＵ４２１，６２１は、制御プログラム４２３ａ，６２３ａを実行することにより、携帯端末４０１，６０１の動作の制御や、通信部４５１，６５１を利用したＭＦＰ１０１との通信など、種々の機能を実行する。例えば、種々のアプリを携帯端末４０１，６０１で動作させ、電子メールの送受信やスケジュール管理などを行うことができる。また、記憶部４２３，６２３には、文書ファイル４２３ｂ，６２３ｂが記憶されている。文書ファイル４２３ｂ，６２３ｂは、画像形成装置１０１で用紙に印刷して出力することができるものであって、文字、図形、又は写真等が含まれるものである。
【００９２】
表示部４３１，６３１は、タッチパネルである。表示部４３１，６３１は、液晶ディスプレイ（ＬＣＤ）である。表示部４３１，６３１は、表示部４３１，６３１にユーザが接触したこと及びその接触位置（ユーザの操作位置）を検知する。ユーザが表示部４３１，６３１に触れたとき、その情報がＣＰＵ４２１，６２１に送られ、ＣＰＵ４２１，６２１は、その情報に基づいて、携帯端末４０１，６０１の制御を行う。すなわち、ユーザは、表示部４３１，６３１に触れて操作を加えることで、携帯端末４０１，６０１の操作を行うことができる。
【００９３】
画面制御部４４１，６４１は、表示部４３１，６３１の表示を制御する。画面制御部４４１，６４１は、例えば、種々の案内画像や、携帯端末４０１，６０１の操作メニュー画面などを表示部４３１，６３１に表示する。
【００９４】
通信部４５１，６５１は、携帯端末４０１，６０１を、例えば、携帯電話網に接続したり、無線ＬＡＮに接続したり、Ｂｌｕｅｔｏｏｔｈ（登録商標）で他の機器と接続したりすることができるように構成されている。これにより、携帯端末４０１，６０１が、上述のように、電話通信を行ったり、ネットワーク８０１やインターネット２９０に接続したりすることができるようになっている。
【００９５】
［中継動作の説明］
【００９６】
ここで、本実施の形態においては、図１に示されるように、第２携帯端末６０１が直接には画像形成装置１０１と連携することができないような場合であっても、第１携帯端末４０１を介して、画像形成装置１０１と連携して動作することができる。これは、以下に説明するように、第１携帯端末４０１が中継動作を行うことによって実現される。
【００９７】
すなわち、第１携帯端末４０１と画像形成装置１０１とが連携動作を行っている状態であり、第１携帯端末４０１と第２携帯端末６０１とが互いに通話中であるとき、第１携帯端末４０１のユーザＡが所定の中継を許可する指示を行うことで、中継動作が開始される。中継動作が開始されると、例えば、通話先の第２携帯端末６０１から画像形成装置１０１を遠隔操作することが可能となる。
【００９８】
図４は、中継動作の一例を説明する図である。
【００９９】
中継動作が行われるとき、画像形成システム９０１では、例えば次のような動作が行われる。
【０１００】
図４に示されるように、ステップＳ１１において、第１携帯端末４０１と画像形成装置１０１とが互いに通信可能であるとき、第１携帯端末４０１が、画像形成装置１０１と連携して動作可能になるように制御を行う。例えば、第１携帯端末４０１で所定の操作が行われると、第１携帯端末４０１から画像形成装置１０１に認証要求が送られる。画像形成装置１０１では、認証要求を受けて、認証可能であると判断した場合には、第１携帯端末４０１と画像形成装置１０１とのペアリングを行う。これにより、第１携帯端末４０１と画像形成装置１０１との連携状態が確立する。
【０１０１】
また、ステップＳ１２において、第１携帯端末４０１は、第２携帯端末６０１と電話通信を行い、通話状態となる。第１携帯端末４０１から第２携帯端末６０１に対して電話通信を行うための発信が行われたときに第２携帯端末６０１でその電話にでると（着信）、通話状態となる。また、第２携帯端末６０１から第１携帯端末４０１に対して電話通信を行うための発信が行われたときに第１携帯端末４０１でその電話にでると、通話状態となる。なお、通話状態となるのは、ステップＳ１１のように連携状態が確立するよりも先であってもよい。
【０１０２】
このように、第１携帯端末４０１が画像形成装置１０１と連携して動作可能である場合において、第１携帯端末４０１が第２携帯端末６０１と電話通信を行っているとき、第１携帯端末４０１は、それを操作するユーザＡからの中継開始操作を受け付ける。すなわち、第１携帯端末４０１は、画像形成装置１０１と連携して動作するように制御されているとき、中継開始操作を受付可能になる。通話状態の表示部４３１には、通話中画面４３５が表示される。中継開始操作は、例えば、通話中画面４３５に含まれる連携開始ボタン４３７を押下する操作である。ユーザＡにより連携開始ボタン４３７が操作され、その中継開始操作が第１携帯端末４０１で受け付けられると、第１携帯端末４０１は、第２携帯端末６０１が画像形成装置１０１と通信可能になるように中継動作を行う。
【０１０３】
第２携帯端末６０１は、第１携帯端末４０１と電話通信を行っている場合において、第１携帯端末４０１により中継動作が開始されると、第１携帯端末４０１を介して画像形成装置１０１と通信する。第２携帯端末６０１は、このようにして第１携帯端末４０１を介して画像形成装置１０１と通信可能であるとき、第２携帯端末６０１が画像形成装置１０１と連携して動作可能になるように制御を行う。
【０１０４】
第１携帯端末４０１は、中継動作を開始するとき、第２携帯端末６０１と画像形成装置１０１とが通信可能となるようにＶＰＮ（Ｖｉｒｔｕａｌ  Ｐｒｉｖａｔｅ  Ｎｅｔｗｏｒｋ）を構築することで、中継動作を行う。第１携帯端末４０１により構築されたＶＰＮを通して第２携帯端末６０１がネットワーク８０１に接続されて、画像形成装置１０１と第２携帯端末６０１とが通信可能になる。あたかも第２携帯端末６０１と画像形成装置１０１とが同一のネットワーク８０１に接続されているかのようにして通信を行うことができる。これにより、中継動作が行われる場合であっても、第２携帯端末６０１と画像形成装置１０１とが複雑な制御を行う必要がなくなり、情報処理システムの製造コストを低減することができる。具体的には、例えば、第２携帯端末６０１は、ファイル等の送信処理を行うとき、送信先として画像形成装置１０１を容易に指定することができる。なお、ＶＰＮの構築は行われなくてもよい。
【０１０５】
中継動作が開始されると、例えば、第２携帯端末６０１に関する情報を画像形成装置１０１に登録する処理が行われる。ステップＳ１３において、第２携帯端末６０１は、例えば外部の機器からファイル等のデータを第２携帯端末６０１に送信してもらうための識別情報（第２携帯端末６０１に関する情報の一例）を、第１携帯端末４０１に送信する。識別情報は、第２携帯端末６０１をデータの送信先として他の機器と識別するための情報である。
【０１０６】
ステップＳ１４において、第１携帯端末４０１は、第２携帯端末６０１から送信された識別情報を受信する。そして、識別情報に、第１携帯端末４０１が第２携帯端末６０１への通信を中継していることを示す中継情報を加えて、それらの情報を画像形成装置１０１に送信する。
【０１０７】
ステップＳ１５において、画像形成装置１０１は、第１携帯端末４０１から送信された識別情報及び中継情報を受信する。画像形成装置１０１は、受信した情報に基づいて外部機器登録処理を実行し、第２携帯端末６０１を、例えばデータの送信先の１つとして登録する。これにより、画像形成装置１０１からデータを第２携帯端末６０１に送信するというような態様で、画像形成装置１０１と第２携帯端末６０１とが連携して動作可能になる。
【０１０８】
また、例えば、画像形成装置１０１を操作するための操作用画像６３５を第２携帯端末６０１の表示部６３１に表示するリモートパネル機能が行われる。すなわち、ステップＳ１６において、画像形成装置１０１は、第１携帯端末４０１と連携している場合と同様に、第２携帯端末６０１で表示させるための操作用画面（リモートパネル）に関する情報（リモートパネル画像）を送信する。リモートパネル画像は、例えば、リモートパネルを構成する画像データであるが、これに限られない。例えば、所定の形式で送信される設定情報であって、第２携帯端末６０１がその情報に基づいて操作用画面を表示することができるような情報であればよい。
【０１０９】
ステップＳ１７において、第１携帯端末４０１は、リモートパネル画像を受信すると、そのリモートパネル画像を第２携帯端末６０１に転送する。第２携帯端末６０１は、リモートパネル画像を受信すると、表示部６３１にその画像を表示させる。表示部６３１にリモートパネル画像６３５が表示されると、第２携帯端末６０１は、ユーザＢによる操作を受け付ける。
【０１１０】
リモートパネル画像６３５には、画像形成装置１０１の種々の機能を実行させたり、それらの機能の実行態様を指定したりするための操作ボタンが表示される。また、リモートパネル画像６３５には、リモートパネル機能を終了し、中継動作を終了させるためのリモートパネル終了ボタン６３７が表示される。第２携帯端末６０１は、中継動作を終了させるための、リモートパネル終了ボタン６３７の押下操作が受け付けられると、リモートパネル機能を終了させる。また、第２携帯端末６０１は、第１携帯端末４０１や画像形成装置１０１と通信し、中継動作を終了させる制御を行う。これにより、電話通信を継続させたままで、中継動作が終了される。
【０１１１】
なお、リモートパネル終了ボタン６３７が操作されたとき、第２携帯端末６０１は、中継動作を継続させたままでリモートパネル画像６３５の表示を終了させるようにしてもよい。この場合、リモートパネル終了ボタン６３７とは別に、中継動作を終了させるためのユーザＢの操作を受け付けるボタンが、リモートパネル画像６３５等に表示されるようにしてもよい。
【０１１２】
ステップＳ１８において、ユーザＢによりリモートパネル画像６３５が操作されると、第２携帯端末６０１は、その操作に応じて、制御用のコマンドを出力する。第２携帯端末６０１は、コマンドを、第１携帯端末４０１を介して、画像形成装置１０１に送信する。ユーザＢは、操作ボタンやリモートパネル終了ボタン６３７等を押下する操作を行うことで、その操作に対応する動作を画像形成装置１０１に実行させることができる。本実施の形態では、例えば、スキャンアウト機能や、遠隔プリント機能を実行させることができる。このような機能は、第１携帯端末４０１の中継動作により、第１携帯端末４０１を介して第２携帯端末６０１と画像形成装置１０１とが通信を行って実現されるものである。しかしながら、ユーザＢには、特に第１携帯端末４０１の存在を意識することなく、直接に画像形成装置１０１と通信して機能を実行しているように感じられる。
【０１１３】
ここで、画像形成装置１０１は、遠隔操作権限を、連携した機器に付与する（連携した機器が遠隔操作権限を有するものとして動作する）。画像形成装置１０１は、遠隔操作権限が付与された機器から送信された情報を受け付け、受け付けた情報に基づいて動作を行う。第１携帯端末４０１が画像形成装置１０１と連携して動作可能になるように制御されている場合において、第１携帯端末４０１で操作用画像が表示されている場合には、第１携帯端末４０１に遠隔操作権限が付与されている状態となる。本実施の形態においては、このように第１携帯端末４０１が画像形成装置１０１と連携して動作可能になるように制御されている場合には、第１携帯端末４０１が中継動作を行っているか否かに応じて、画像形成装置１０１の遠隔操作権限が第１携帯端末４０１に属するか第２携帯端末６０１に属するかが切り替わる。すなわち、中継動作が行われていないときには、第１携帯端末４０１により遠隔操作権限が保有される。他方、中継動作が行われているときには、第２携帯端末６０１により遠隔操作権限が保有される。このような遠隔操作権限の切り替えは、例えば、画像形成装置１０１が第１携帯端末４０１から中継情報を受信したときに行われるようにすればよい。
【０１１４】
図５は、第２携帯端末６０１と電話通信を行っているときの第１携帯端末４０１の通話中画面４３５の一例を示す図である。
【０１１５】
第１携帯端末４０１は、例えば第２携帯端末６０１と電話通信を行っているとき、中継動作を行っているか否かに応じて、通話中画面４３５の表示内容を切り替える。すなわち、図５に示されるように、中継動作を行っていないときには、上述のように、連携開始ボタン４３７が表示される（ステップＳ３１）。
【０１１６】
連携開始ボタン４３７が表示されている状態で、それが操作されると、中継動作が行われる。そうすると、連携開始ボタン４３７に替えて、連携終了ボタン４３８が通話中画面４３５に表示される（ステップＳ３２）。連携終了ボタン４３８は、中継動作を終了させるために操作されるボタンである。すなわち、このとき、中継動作を終了させるためのユーザＡの操作が、連携終了ボタン４３８を表示した状態で受け付けられる。連携終了ボタン４３８を押下する操作がユーザＡにより行われると、第１携帯端末４０１は、電話通信を継続させたままで、第２携帯端末６０１と画像形成装置１０１との間の中継動作を終了させる。連携終了ボタン４３８を押下する操作がユーザＡにより行われると、通話中画面４３５の表示が、ステップＳ３１の状態に戻る。
【０１１７】
このように中継動作が行われているか否かに応じて、連携開始ボタン４３７と連携終了ボタン４３８との表示が切り替えられる。そのため、ユーザＡは、通話中画面４３５の表示内容を見て、中継動作が行われているか否かを容易に確認することができる。換言すると、中継動作が行われているとき、中継動作が行われている状態である旨の表示が、連携終了ボタン４３８が表示されることにより行われている。なお、図５に示されるように、連携終了ボタン４３８とは別に、中継動作が行われている状態であることを示す表示４３６が通話中画面４３５に含まれるようにし、その表示を見ることによっても中継動作が行われているか否かを知ることができるようにしてもよい。
【０１１８】
なお、通話中画面４３５には、電話通信を終了するための通話終了ボタン４３９が表示されている。通話終了ボタン４３９は、中継動作が行われている場合であっても行われていない場合であっても、表示されている。すなわち、ユーザＡは、中継動作が行われているか否かにかかわらず、いつでも通話終了ボタン４３９を操作して通話を終了させることができる。通話終了ボタン４３９が操作されると、第１携帯端末４０１と第２携帯端末６０１との電話通信が終了する（ステップＳ３３）。第１携帯端末４０１が中継動作を行っている状態で通話終了ボタン４３９が操作されたときには、第１携帯端末４０１は、中継動作を終了する。
【０１１９】
［画像形成装置１０１の動作］
【０１２０】
図６は、本実施の形態における画像形成装置１０１の動作を示すフローチャートである。
【０１２１】
図６に示されるように、画像形成装置１０１は、制御部２０等による制御に基づいて、以下の処理を行う。
【０１２２】
画像形成装置１０１の電源がオンである状態で、ステップＳ１０１において、制御部２０は、連携処理を行う。
【０１２３】
ステップＳ１０２において、制御部２０は、ジョブ実行処理を行う。
【０１２４】
ステップＳ１０３において、制御部２０は、外部機器登録処理を行う。
【０１２５】
ステップＳ１０４において、電源がオフになるまで、制御部２０は、ステップＳ１０１からステップＳ１０３の処理を繰り返し行う。電源がオフになると、画像形成装置１０１の動作が終了する。
【０１２６】
図７は、連携処理を示すフローチャートである。
【０１２７】
図７に示されるように、連携処理では、ステップＳ１１１において、画像形成装置１０１が他の装置と連携されているか否かが判断される。すなわち、画像形成装置１０１に、ペアリング可能であると認証されてペアリングされている装置が有るか否かが判断される。連携されていれば、連携処理が終了する。
【０１２８】
ステップＳ１１１で連携されていなければ、ステップＳ１１２において、認証要求が受け付けられたか否かが判断される。認証要求は、外部の機器からの、画像形成装置１０１との連携を行うための要求である。認証要求がなければ、連携処理が終了する。
【０１２９】
ステップＳ１１２で認証要求が受け付けられていれば、ステップＳ１１３において、認証可能であるか否か（連携可能である装置であるか否か）が判断される。認証可能であると判断されなければ、連携処理が終了する。
【０１３０】
ステップＳ１１３で認証可能であると判断されれば、ステップＳ１１４において、認証要求を行った装置と画像形成装置１０１とのペアリングが確立される。すなわち、画像形成装置１０１が、認証要求を行った装置と連携した状態になる。
【０１３１】
ステップＳ１１５において、ペアリングが確立した装置に、画像形成装置１０１から、リモートパネル画像が送信される。これにより、リモートパネル画像を受信した装置が、リモートパネル画像を表示してユーザからの操作を受け付ける。ステップＳ１１５の処理が終了すると、連携処理が終了する。
【０１３２】
図８は、ジョブ実行処理を示すフローチャートである。
【０１３３】
図８に示されるように、ジョブ実行処理では、ステップＳ１２１において、画像形成装置１０１に登録されたジョブが有るか否かが判断される。ジョブがなければ、ジョブ実行処理が終了する。
【０１３４】
ステップＳ１２１においてジョブがあれば、ステップＳ１２２において、登録されたジョブが実行される。
【０１３５】
画像形成装置１０１では、例えば、プリントジョブを実行できる。プリントジョブでは、外部の機器かから送信されたＰＤＬ（ページ記述言語）のデータに基づいて、印刷が実施される。
【０１３６】
また、画像形成装置１０１では、例えば、スキャンアウトを行うジョブを実行できる。このジョブでは、原稿がスキャンされ、生成された画像ファイルがジョブ登録時に指定された宛先へ送信される。送信は、予め設定された種々の通信プロトコルに従って行われる。
【０１３７】
ジョブの実行が終了すると、ジョブ実行処理が終了する。
【０１３８】
図９は、外部機器登録処理を示すフローチャートである。
【０１３９】
図９に示されるように、外部機器登録処理では、ステップＳ１３１において、画像形成装置１０１が、外部機器についての識別情報を受信したか否かが判断される。受信した場合には、ステップＳ１３２において、識別情報に基づいて、その外部機器が、スキャンアウト機能の宛先の候補（スキャンアウト宛先）として登録される。
【０１４０】
また、ステップＳ１３３において、画像形成装置１０１が、外部機器の中継情報を、他の外部機器の識別情報と共に受信したか否かが判断される。このように中継情報と識別情報とを合わせて受信したことは、中継動作が外部機器により行われていることを示す。受信した場合には、ステップＳ１３４において、受信した中継情報及び識別情報に基づいて、外部機器により中継される他の外部機器が、スキャンアウト宛先として登録される。
【０１４１】
このようにして登録されたスキャンアウト宛先は、スキャンアウトを行うジョブにおける宛先として、ユーザが指定できるようになるものである。一連の処理が終了したら、外部機器登録処理が終了する。
【０１４２】
［第１携帯端末４０１の動作］
【０１４３】
図１０は、第１携帯端末４０１の動作を示す第１のフローチャートである。図１１は、第１携帯端末４０１の動作を示す第２のフローチャートである。図１２は、第１携帯端末４０１の動作を示す第３のフローチャートである。
【０１４４】
図１０から図１２に示されるように、第１携帯端末４０１は、ＣＰＵ４２１等による制御に基づいて、以下の処理を行う。
【０１４５】
ステップＳ２１１において、画像形成装置１０１に連携を行うか否か（認証要求を行うか否か）が判断される。連携を行わない場合には、ステップＳ２１４に進む。
【０１４６】
ステップＳ２１１で連携を行う場合には、ステップＳ２１２において、通信部４５１により、画像形成装置１０１と通信が行われる。このとき、第１携帯端末４０１から画像形成装置１０１に認証要求が行われ、画像形成装置１０１で認証可能か否かが判断される。
【０１４７】
ステップＳ２１３において、画像形成装置１０１で認証可能と判断されたか否かが判断される。認証可能であると判断された場合には、ステップＳ２１６に進む。そうでない場合には、ステップＳ２１４に進む。
【０１４８】
ステップＳ２１４では、着信があり、ユーザＡがそれに応答する操作を行ったか否かが判断される。応答操作が行われた場合には、ステップＳ２１５において、電話通信で通常の通話が行われ、通話が終了する。着信がない場合、応答操作が行われない場合、通話が行われて通話が終了した場合には、ステップＳ２１１の処理に戻る。
【０１４９】
ステップＳ２１６では、認証可能であると判断された結果、画像形成装置１０１と第１携帯端末４０１との連携が確立する。画像形成装置１０１から送信されたリモートパネル画像が受信され、それが表示部４３１に表示される。第１携帯端末４０１は、遠隔操作権限を保有することになり、第１携帯端末４０１を用いて画像形成装置１０１を操作することができるようになる（直接連携制御）。
【０１５０】
画像形成装置１０１と第１携帯端末４０１とが連携した状態になると、ステップＳ２２１で、着信があり、かつ、ユーザＡが応答したか否かが判断される。着信があり、かつ、ユーザＡが応答した場合には、電話通信により通話が行われている状態になり、ステップＳ２２２に進む。以下では、第２携帯端末６０１と通話が行われている状態を想定する。着信がない場合や応答されないまま、画像形成装置１０１との連携が解除された場合は、ステップＳ２１１に戻ればよい。
【０１５１】
ステップＳ２２２において、中継動作を行うためのユーザＡによる指示が行われたか否かが判断される。具体的には、連携開始ボタン４３７がユーザＡにより操作されたか否かが判断される。指示が行われていない場合には、ステップＳ２２３において、通話が終了したか否かが判断される。通話が終了した場合には、ステップＳ２２１の処理に戻る。他方、通話が終了していない場合には、ステップＳ２２２の処理に戻る。
【０１５２】
ステップＳ２２２で指示が行われたと判断された場合には、ステップＳ２２４において、通話を行っている第２携帯端末６０１とネットワーク８０１とのＶＰＮ接続を確立する。
【０１５３】
ステップＳ２２５において、第１携帯端末４０１は、画像形成装置１０１から送信されたリモートパネル画像を第２携帯端末６０１に転送し、中継制御を開始する。これにより、画像形成装置１０１の遠隔操作権限が第２携帯端末６０１に移る。
【０１５４】
ステップＳ２３１において、第１携帯端末４０１と画像形成装置１０１との連携が終了したか否かが判断される。終了していない場合には、ステップＳ２３２に進む。中継制御は、第１携帯端末４０１と画像形成装置１０１とが連携している状態であることが前提となって行われるので、連携が終了した場合には、中継制御も終了される。この場合、ステップＳ２１５に戻る。
【０１５５】
ステップＳ２３２において、中継終了がユーザＡにより指示されたか否かが判断される。具体的には、連携終了ボタン４３８が操作されたか否かが判断される。指示されていない場合には、ステップＳ２３３に進む。指示された場合には、中継制御を終了し、ステップＳ２２２の処理に移る。このとき、画像形成装置１０１の制御により、画像形成装置１０１の遠隔操作権限が第１携帯端末４０１に戻る。第１携帯端末４０１は、リモートパネル画像を表示部４３１に表示する。
【０１５６】
ステップＳ２３３において、ユーザＡが通話を終了したか否かが判断される。終了していない場合には、ステップＳ２３１の処理に戻る。
【０１５７】
ステップＳ２３３において通話が終了した場合には、ステップＳ２３４において、中継制御が終了され、ステップＳ２２１の処理に戻る。このとき、画像形成装置１０１の制御により、画像形成装置１０１の遠隔操作権限が第１携帯端末４０１に戻る。第１携帯端末４０１は、リモートパネル画像を表示部４３１に表示する。
【０１５８】
図１３は、スキャンアウト受信処理の動作を示すフローチャートである。
【０１５９】
スキャンアウト受信処理は、第１携帯端末４０１において、第１携帯端末４０１と画像形成装置１０１とが連携している場合に行われる。
【０１６０】
図１３に示されるように、スキャンアウト受信処理が開始されると、ステップＳ２５１において、スキャンアウトされた文書のファイル（スキャンアウト文書）を受信したか否かが判断される。受信していない場合には、スキャンアウト受信処理が終了する。
【０１６１】
ステップＳ２５１で受信したと判断されると、ステップＳ２５２において、識別情報が付加されているか否かが判断される。画像形成装置１０１は、第２携帯端末６０１にスキャンアウト文書を送信するときには、第２携帯端末６０１の識別情報とスキャンアウト文書とを一緒に、中継情報を利用して第１携帯端末４０１に送信する。他方、第１携帯端末４０１にスキャンアウト文書を送信するときには、第１携帯端末４０１の識別情報を利用して、第１携帯端末４０１に、スキャンアウト文書を送信する。そのため、識別情報が付加されているか否かによって、スキャンアウト文書が自端末に向けて送信されたものであるか否かを判断できる。
【０１６２】
ステップＳ２５２において識別情報が付加されているとき、そのスキャンアウト文書は、識別情報に対応する端末に向けて画像形成装置１０１から送信されたものであると判断できる。そのため、ステップＳ２５３において、第１携帯端末４０１は、付加されている識別情報を解析して、検出された端末（例えば、第２携帯端末６０１）に対して、スキャンアウト文書を転送する。
【０１６３】
他方、ステップＳ２５２において識別情報が付加されていないとき、スキャンアウト文書が、自端末に向けて送信されたものであると判断できる。そのため、ステップＳ２５４において、第１携帯端末４０１は、そのスキャンアウト文書を自らに向けて送信されたものとして記憶部４２３などに記憶する。
【０１６４】
ステップＳ２５３，Ｓ２５４の処理が行われると、スキャンアウト受信処理が終了する。
【０１６５】
このように処理が行われることで、第１携帯端末４０１が中継動作を行っている場合であっても、第１携帯端末４０１と第２携帯端末６０１とのうち一方をスキャンアウト文書の送信先として指定し、スキャンアウト機能を利用できるようになる。
【０１６６】
［中継が行われる場合の第２携帯端末６０１の動作］
【０１６７】
図１４は、中継が行われる場合の第２携帯端末６０１の動作を示すフローチャートである。
【０１６８】
図１４に示されるように、第２携帯端末６０１は、ＣＰＵ６２１等による制御に基づいて、以下の処理を行う。
【０１６９】
ステップＳ３１１において、他の機器との間で通話が開始される。ここでは、第１携帯端末４０１との通話が行われる場合を想定する。
【０１７０】
ステップＳ３１２において、第１携帯端末４０１からＶＰＮ接続を行う要求があるか否かが判断される。第１携帯端末４０１において連携開始ボタン４３７が操作されると、ＶＰＮ接続を行う要求がある。要求がなければ、ステップＳ３１８に進む。
【０１７１】
要求があれば、ステップＳ３１３において、第２携帯端末６０１が要求に応じる。その結果、第１携帯端末４０１を介したＶＰＮ接続が確立される。これにより、第１携帯端末４０１の中継動作により、第２携帯端末６０１が画像形成装置１０１と連携して動作可能になる。また、第２携帯端末６０１の識別情報が第１携帯端末４０１を介して画像形成装置１０１に送られ、第２携帯端末６０１がスキャンアウト宛先として登録される。
【０１７２】
ステップＳ３１４において、第２携帯端末６０１は、第１携帯端末４０１から転送されたリモートパネル画像を受信し、表示部６３１に表示する。このとき、画像形成装置１０１の制御により、遠隔操作権限が第２携帯端末６０１に移る。第２携帯端末６０１のユーザＢは、リモートパネル画像を操作して、画像形成装置１０１を操作することができる。
【０１７３】
ステップＳ３１５において、スキャンアウト文書が受信されたか否かが判断される。受信されていない場合には、ステップＳ３１７に進む。
【０１７４】
ステップＳ３１５で受信されたと判断された場合には、ステップＳ３１６において、第２携帯端末６０１は、受信されたスキャンアウト文書を記憶部６２３などに記憶する。
【０１７５】
ステップＳ３１７において、通話が終了したか否かが判断される。通話が終了していない場合には、ステップＳ３１８に進む。通話が終了した場合には、中継制御も終了し、一連の処理が終了する。
【０１７６】
ステップＳ３１８において、第１携帯端末４０１による中継動作が終了したか否かが判断される。終了していないと判断された場合には、ステップＳ３１５の処理に戻る。中継動作が終了したと判断された場合には、ステップＳ３１９に進む。
【０１７７】
ステップＳ３１９において、通話が終了したか否かが判断される。通話が終了していない場合には、ステップＳ３１２に戻る。通話が終了した場合には、一連の処理が終了する。
【０１７８】
［スキャンアウト機能の説明］
【０１７９】
図１５は、スキャンアウト機能を説明する図である。
【０１８０】
図１５に示されるように、第２携帯端末６０１と画像形成装置１０１とが、第１携帯端末４０１の中継動作によって連携して動作しているときには、第２携帯端末６０１へのスキャンアウト機能を実行することができる。このような場合において、上述のように、第２携帯端末６０１に関する識別情報が第１携帯端末４０１の中継動作と共に画像形成装置１０１に送られることで、第２携帯端末６０１がスキャンアウト宛先として登録されている。スキャンアウト機能が実行される際には、画像形成システム９０１では、次のような動作が行われる。
【０１８１】
まず、ステップＳ２１において、画像形成装置１０１に、スキャンアウト機能を行うジョブが登録される。このとき、スキャンされる用紙（原稿）が用意されて画像形成装置１０１セットされ、また、読み取って得たファイルの送信先が指定される。送信先を指定するための指示は、画像形成装置１０１に対してユーザＡなどが直接行うことができるし、第２携帯端末６０１に対してユーザＢがリモートパネル機能を利用して行うことができる。ジョブが実行されると、原稿がスキャンされて、スキャン生成ファイルが生成される。
【０１８２】
画像形成装置１０１は、ユーザにより行われた送信先を指定する指示と、第１携帯端末４０１に関する中継情報と、第２携帯端末６０１に関する識別情報とに基づいて、スキャン生成ファイルを第１携帯端末４０１を介して第２携帯端末６０１に送信する。
【０１８３】
すなわち、ステップＳ２２において、画像形成装置１０１から第１携帯端末４０１に、スキャン生成ファイルと、第２携帯端末６０１に対応する識別情報とが送信される。
【０１８４】
ステップＳ２３において、第１携帯端末４０１で、識別情報とスキャン生成ファイルとが受信される。第１携帯端末４０１では、受信された情報が解析され、識別情報に基づいて、スキャン生成ファイルが、第２携帯端末６０１に向けたものであると判断される。
【０１８５】
ステップＳ２４において、識別情報に基づいて、スキャン生成ファイルが、第１携帯端末４０１から第２携帯端末６０１に送信される。これにより、第２携帯端末６０１で、スキャン生成ファイルが受信される。
【０１８６】
なお、このような画像形成装置１０１から第２携帯端末６０１へのファイルの送信は、原稿をスキャンして得られたスキャン生成ファイルのほか、画像形成装置１０１がアクセス可能な種々のファイルについて行うことができる。例えば、予めスキャンして生成され画像形成装置１０１に記憶されている画像ファイル２７ｄ等について、送信先を第２携帯端末６０１として送信させることができる。
【０１８７】
［遠隔プリント機能の説明］
【０１８８】
図１６は、遠隔プリント機能を説明する図である。
【０１８９】
図１６に示されるように、第２携帯端末６０１と画像形成装置１０１とが、第１携帯端末４０１の中継動作によって連携して動作しているときには、第２携帯端末６０１がＶＰＮ接続によりネットワーク８０１に接続されることで、画像形成装置１０１を出力先として指定することができる。本実施の形態では、第２携帯端末６０１がアクセスできる文書ファイルを画像形成装置１０１で印刷して出力する、遠隔プリント機能を実行することができる。このような場合において、第２携帯端末６０１の内部に記憶されている文書ファイルや、第２携帯端末６０１が通信によって取得できる、外部機器に記憶されている文書ファイルなどについて、遠隔プリント機能を実行することができる。
【０１９０】
一例として、第２携帯端末６０１が空間２０１から離れた遠隔地７０１にあり、遠隔地７０１にあるファイルサーバ５１０と通信可能である場合を想定する。この場合において、ファイルサーバ５１０内に記憶されている文書ファイル５１５について遠隔プリント機能が実行される際には、画像形成システム９０１では、次のような動作が行われる。
【０１９１】
まず、ステップＳ４１において、第２携帯端末６０１は、ファイルサーバ５１０と通信する。例えば、無線通信によりファイルサーバ５１０と通信を行う。なお、第２携帯端末６０１とファイルサーバ５１０とが有線接続されており、第２携帯端末６０１とファイルサーバ５１０とが通信するようにしてもよい。
【０１９２】
ここで、第２携帯端末６０１でユーザＢによる操作が行われ、遠隔プリント機能により文書ファイル５１５を画像形成装置１０１で出力する旨の指示が行われる。そうすると、ステップＳ４２において、第２携帯端末６０１は、ファイルサーバ５１０から文書ファイル５１５を取得する。
【０１９３】
第２携帯端末６０１は、文書ファイル５１５を取得すると、文書ファイル５１５を印刷を行うためのＰＤＬ形式に変換し、変換後の文書ファイルを、画像形成装置１０１を宛先として、印刷を行う指示と共に送信する。第２携帯端末６０１から文書ファイルが送信されると、文書ファイルは、第１携帯端末４０１に送られる（ステップＳ４３）。第１携帯端末４０１は、送られた文書ファイル５１５を画像形成装置１０１に転送する（ステップＳ４４）。
【０１９４】
画像形成装置１０１は、文書ファイル５１５とそれを印刷する指示とを受信すると、ステップＳ４５において、文書ファイル５１５を印刷して出力する。
【０１９５】
なお、文書ファイルのファイル形式や、画像形成装置１０１のファイル解析機能の有無等に応じて、第２携帯端末６０１は、文書ファイル５１５を変換せずに画像形成装置１０１に向けて送信するようにしてもよい。この場合、画像形成装置１０１で文書ファイル５１５の解析が行われ、出力される。
【０１９６】
なお、このような遠隔プリント機能のほか、遠隔プリント機能と同様にして文書ファイルを画像形成装置１０１に送信し、画像形成装置１０１で所定の処理を実行させる機能を行うことができるようにしてもよい。例えば、画像形成装置１０１に文書ファイルを記憶させる機能や、ファクシミリ送信等を行わせる機能などが実行されるようにしてもよい。
【０１９７】
［実施の形態における効果］
【０１９８】
以上のように構成された画像形成システム９０１では、第２携帯端末６０１が直接には画像形成装置１０１に連携できない場所にある場合であっても、第１携帯端末４０１の中継動作により、間接的に第２携帯端末６０１を画像形成装置１０１に連携させて種々の機能を実行することができる。したがって、第２携帯端末６０１が遠隔地にある場合であっても、ユーザＡとユーザＢとで電話通信等のみによる面倒なやりとりを行う必要がなくなり、画像形成システム９０１の利便性が向上する。
【０１９９】
［その他］
【０２００】
上述の実施の形態では、第１携帯端末４０１が第２携帯端末６０１と電話通信を行っておらず、かつ、第１携帯端末４０１が画像形成装置１０１と連携して動作するように制御が行われている場合において、通話が行われ、中継開始操作が行われたときに中継動作が開始される。しかしながら、第１携帯端末４０１が画像形成装置１０１と連携して動作するように制御が行われている場合において、その後に通話が行われたときすなわち第１携帯端末４０１が第２携帯端末６０１との電話通信を行うための着信又は発信があったとき、中継開始操作が行われたか否かにかかわらず、中継動作が開始されるようにしてもよい。このような場合には、ユーザＡが中継開始操作を行う必要がなく、容易に第２携帯端末６０１と画像形成装置１０１とを連携させることができるようになる。
【０２０１】
なお、このように第１携帯端末４０１が画像形成装置１０１と連携して動作するように制御が行われている場合において第１携帯端末４０１と第２携帯端末６０１と通話が開始されたときには、すぐに中継動作を行わず、ユーザＡに中継動作を開始するか否かを確認するようにしてもよい。確認は、第１携帯端末４０１の表示部４３１に所定のダイアログを表示し、ユーザＡの操作を受け付けることで行うことができるが、これに限られず、種々の方法で行うことができる。中継動作を開始する意向が確認されれば、第１携帯端末４０１により、中継動作が開始される。このようにユーザＡの意向を確認するようにすることにより、ユーザＡの意図通りに中継動作の実行を開始したり実行しなかったりすることができる。
【０２０２】
また、第１携帯端末４０１が画像形成装置１０１と連携して動作可能になるように制御が行われるとき、第１携帯端末４０１が第２携帯端末６０１と電話通信を行っているか否かに応じて、中継動作を行うか否かが切り替えられるようにしてもよい。すなわち、例えば、第１携帯端末４０１が第２携帯端末６０１と電話通信を行っているときに第１携帯端末４０１と画像形成装置１０１との連携が開始されたときには、中継開始操作が行われたか否かにかかわらず、中継動作が開始される。他方、電話通信が行われていないときに連携が開始されたときには、中継動作は開始されず、第１携帯端末４０１が画像形成装置１０１の遠隔操作権限を有しているように制御される。
【０２０３】
携帯端末の表示部や、画像形成装置の操作部は、タッチパネルではなくてもよい。携帯端末や画像形成装置の操作部に、操作を行うためのハードキー等が設けられており、ハードキーの操作が行われたときにそれが受け付けられるように構成されていてもよい。
【０２０４】
画像形成装置や携帯端末のハードウェア構成は上述に限られるものではない。
【０２０５】
また、本発明に係る画像処理装置は、画像形成装置に用いられるものに限られない。例えば、本発明は、画像データを読み取るスキャナ装置や、撮像装置や、画像データ送受信装置など、種々の装置に用いられる画像処理装置においても適用可能である。
【０２０６】
上述の実施の形態における処理は、ソフトウェアによって行っても、ハードウェア回路を用いて行ってもよい。
【０２０７】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。フローチャートで示された各処理は、支障がない範囲で、適宜実行順を変更することができるものである。
【０２０８】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０２０９】
１１  操作部
１３  表示パネル
２０  制御部
２７ａ  制御プログラム
３０  画像形成部
１０１  画像形成装置
２９０  インターネット
４０１  第１携帯端末（第１情報処理端末の一例）
４２１  ＣＰＵ
４２３  記憶部
４２３ａ  制御プログラム
４３１  表示部
４３５  通話中画面
４３７  連携開始ボタン
４３８  連携終了ボタン
４３９  通話終了ボタン
６０１  第２携帯端末（第２情報処理端末の一例）
６２１  ＣＰＵ
６２３  記憶部
６２３ａ  制御プログラム
６３１  表示部
６３５  リモートパネル画像
６３７  リモートパネル終了ボタン
８０１  ネットワーク
９０１  画像形成システム（情報処理システムの一例）
【図１】
2018007098.tif 000003
【図２】
2018007098.tif 000004
【図３】
2018007098.tif 000005
【図４】
2018007098.tif 000006
【図５】
2018007098.tif 000007
【図６】
2018007098.tif 000008
【図７】
2018007098.tif 000009
【図８】
2018007098.tif 000010
【図９】
2018007098.tif 000011
【図１０】
2018007098.tif 000012
【図１１】
2018007098.tif 000013
【図１２】
2018007098.tif 000014
【図１３】
2018007098.tif 000015
【図１４】
2018007098.tif 000016
【図１５】
2018007098.tif 000017
【図１６】
2018007098.tif 000018